(57)【要約】  【課題】      Ｘ線管の傾斜角度の調整過程で防護前垂れがＸ線管と被検体との間に誤挿入されたままで誤撮影が行われることによる撮影・診断の信頼性低下、術者に対する放射線被曝の危険性の増大を改善する。  【解決手段】  術者による手許操作盤１４の操作により、演算器１５を介してＣアーム５の傾斜角度を指令する。この傾斜角度情報を同時に演算器１５からモータ１３に適切な回転量を与えるための信号としても出力する。この連動により防護前垂れ９Ｎは自動的にＸ線管３に接触しない位置まで巻き上げられ、Ｃアーム５の傾斜角度を変更する都度、巻き上げまたは巻き下ろし量も連動して変更される。最終的にＣアーム５の傾斜角度が定まった場合には巻き上げも自動的に完了しているので、ただちに撮影に移る。【選択図】          図２
2008104491.tif 000002
【特許請求の範囲】
【請求項１】
被検体を挟んで対向して配設されたＸ線を受像するＸ線検出器と、Ｘ線を放射するＸ線管と、前記Ｘ線検出器ならびにＸ線管を保持する保持器と、前記保持器を傾斜させる傾斜機構と、前記Ｘ線管と保持器近傍で撮影操作を行う術者との中間に挿入されるＸ線を透過しない防護前垂れを備え、前記Ｘ線検出器とＸ線管の中間に挿入された天板上の被検体の透過Ｘ線像を撮影するＸ線透視撮影装置において、前記防護前垂れの垂直方向寸法を前記撮影の準備時に調節できる調節手段を備えたことを特徴とするＸ線透視撮影装置。
【請求項２】
前記調節手段は、保持器の傾斜位置情報により前記防護前垂れの垂直方向寸法を自動調節する調節手段であることを特徴とする請求項１記載のＸ線透視撮影装置。
【請求項３】
前記調節手段は、前記天板または天板を支持する基台の側部に固設された電動機と、前記電動機の軸と緊着し被検体体軸方向に延設されその被検体体軸の端部に垂下された前記防護前垂れを巻き上げる巻き上げ軸と、巻き上げ軸を回転可能に保持する軸受から構成されることを特徴とする請求項１または２記載のＸ線透視撮影装置。
【発明の詳細な説明】
【技術分野】
【０００１】
本発明は被検体のＸ線透視により医用診断を行うためのＸ線透視撮影装置に関する。
【背景技術】
【０００２】
Ｘ線透視撮影装置（以下、原則として装置と略記する）においては、Ｘ線管球からの余剰放射線が被検体の撮影部位以外の部分および撮影操作を行う作業従事者（以下、術者と記す）に照射されることを防止するために、装置近傍に多くのＸ線遮蔽壁、Ｘ線遮蔽膜等が使用される（たとえば特許文献１参照）。その一つとして、Ｘ線管球と術者の間には放射線を防護する可撓性の防護前垂れが配置されている。
【０００３】
以下、図３によって従来の装置の基本的な構成と作動を説明する。なお前記のように装置には装置に近接して多くのＸ線遮蔽壁、Ｘ線遮蔽膜等の放射線被曝防止用機材・部品が使用されるが、後記の防護前垂れ９を除いては本発明に直接の関係はないので図示および説明は省略する。また保持器は原則としてＣアームと記載する。
【０００４】
放射線を透過する材料で作製された天板１は基台２上を長手方向に滑動する。最初天板１はＣアーム５から離れた位置にあり、天板１上に人体等の被検体（図示せず）が載置される。被検体を載置後、天板１をＣアーム５方向に移動させ被撮影部位をＸ線管３とＸ線検出器４の中間に置き、Ｘ線管３から放射されたＸ線をＸ線検出器４で検出する。Ｘ線検出器４としてはたとえばイメージインテンシファイアやフラットパネル型検出器などが使用される。Ｃアーム５はアーム軸７を介設してアーム台６によって支持されている。Ｃアーム５は傾斜撮影を行うためアーム軸７を中心として回転可能な構造になっており、適切な方向・角度からのＸ線透視撮影が可能である。
【０００５】
基台２の側面には保持ロッド８が固設され、保持ロッド８のＣアーム５側の先端部には術者（図示せず）の放射線被曝を防止するための、たとえば鉛入りゴム板製の防護前垂れ９が保持ロッド８に上端を固着され、垂下されている。図３には３枚の防護前垂れ９が示されているが、この枚数は１例を示したもので、枚数は必要により増減される。術者はＣアーム５の左右（天板１の短辺方向）どちらかで操作をするので、保持ロッド８および防護前垂れ９は天板１の向かい側にも同様に設置され、術者がＣアーム５の手前側に位置しても向かい側に位置しても、どちらかの防護前垂れ９がＣアーム５と術者の中間に挿入され術者の放射線被曝を低減する。
【０００６】
撮影時は天板１をＣアーム５から離れた位置に置き、被検体を天板１上に載置し、被検体の撮影部位以外の部分を適切なＸ線遮蔽膜等で覆った後、前記のように天板１をＣアーム５方向に移動させ被撮影部位をＸ線管３とＸ線検出器４の中間に置き、術者の操作によりＣアーム５を適切な傾斜角度に回転させまた天板１の位置を微調整した後、Ｘ線管３からＸ線を放射し被検体を透過したＸ線をＸ線検出器４で検出する。必要によりＣアーム５の傾斜角度および天板１の位置を変更して撮影を繰り返す。
【０００７】
【特許文献１】特表２００４−５０６９１１号公報
【発明の開示】
【発明が解決しようとする課題】
【０００８】
従来のＸ線透視撮影台の構造は以上のとおりであるが、この構造ではＸ線撮影・診断の信頼性が低下し、術者の放射線被曝の危険性が増大する。すなわち図４に示されるごとく、Ｘ線管３の傾斜角度の調整過程で防護前垂れ９がＸ線管３と天板１に、したがって被検体との間に誤って挿入されたままで視認が不十分のまま行程が進行する場合があり、正常な撮影部位の画像撮影が行われず、撮影・診断の信頼性が低下する。またこの場合、防護前垂れ９がＸ線管３と術者の正規中間位置からずれ、直接の見通しが発生するので、術者に対する放射線被曝の危険性が増大する。本発明はこのような問題点を解決する手段を提供することを目的とする。
【課題を解決するための手段】
【０００９】
本発明は上記課題を解決するために、被検体を挟んで対向して配設されたＸ線を受像するＸ線検出器と、Ｘ線を放射するＸ線管と、前記Ｘ線検出器ならびにＸ線管を保持する保持器と、前記保持器を傾斜させる傾斜機構と、前記Ｘ線管と保持器近傍で撮影操作を行う術者との中間に挿入されるＸ線を透過しない防護前垂れを備え、前記Ｘ線検出器とＸ線管の中間に挿入された天板上の被検体の透過Ｘ線像を撮影するＸ線透視撮影装置において、前記防護前垂れの垂直方向寸法を前記撮影の準備時に調節できる調節手段を備える。また前記調節手段は、保持器の傾斜位置情報により前記防護前垂れの垂直方向寸法を自動調節する。また前記調節手段を、前記天板または天板を支持する基台の側部に固設された電動機と、前記電動機の軸と緊着し被検体体軸方向に延設されその被検体体軸の端部に垂下された前記防護前垂れを巻き上げる巻き上げ軸と、巻き上げ軸を回転可能に保持する軸受から構成する。
【発明の効果】
【００１０】
本発明によれば、保持器の傾斜位置に応じて術者の操作または自動調節により防護前垂れの垂直方向寸法を適切に短縮・伸張できるので、保持器の傾斜位置調節に際して防護前垂れのＸ線管の上部と被検体の中間への挿入が回避され、撮影・診断の信頼性、術者への放射線被爆防止効果が向上する。
【発明を実施するための最良の形態】
【００１１】
本発明が提供するＸ線透視撮影台はつぎのような特徴を有している。第１の特徴は、Ｘ線管と術者との中間に挿入されるＸ線を透過しない防護前垂れの垂直方向寸法を撮影時に調節できる調節手段を備えるように構成した点である。第２の特徴は前記調節手段を、保持器の傾斜位置情報により前記防護前垂れの垂直方向寸法を自動調節する調節手段とした点である。また第３の特徴は前記調節手段を、前記天板または天板を支持する基台の側部に固設された電動機と、前記電動機の軸と緊着し被検体体軸方向に延設されその被検体体軸の端部に垂下された前記防護前垂れを巻き上げる巻き上げ軸と、巻き上げ軸を回転可能に保持する軸受から構成した点であり、これらの特徴をすべて備えた形態が最良の形態である。
【００１２】
以下図示例にしたがって説明する。なお図１および図２において図３と同一符号の部品の構造および作動は図３と同一である。図１は本発明の第１の実施例である。基台２の側面には巻き上げ軸１１がベアリング１２を介して回転可能に保持されている。巻き上げ軸１１のＣアーム５側の先端部には術者（図示せず）の放射線被曝を防止するための加撓性の防護前垂れ９Ｎが巻き上げ軸１１に巻き上げ可能に固着され、垂下されている。巻き上げ軸１１はモータ１３により回転される。モータ１３の正・逆転および停止は術者による操作盤（図示せず）操作により制御される。図１には３枚の防護前垂れ９Ｎが示されているが、この枚数は１例を示したもので、枚数は必要により増減される。術者は通常Ｃアーム５の左右どちらかに立つので、巻き上げ軸１１および防護前垂れ９Ｎは天板１の向かい側にも同様に設置され、術者がＣアーム５の手前側に位置しても向かい側に位置しても、どちらかの防護前垂れ９ＮがＣアーム５と術者の中間に挿入され術者の放射線被曝を低減する。なお図１ではベアリング１２およびモータ１３は基台２の側面から支持されているが、天板１の側面から支持される構造としても良い。
【００１３】
撮影時は天板１をＣアーム５から離れた位置に置き、被検体を天板１上に載置し、被検体の撮影部位以外の部分を適切なＸ線遮蔽膜等で覆った後、前記のように天板１をＣアーム５方向に移動させ被撮影部位をＸ線管３とＸ線検出器４の中間に置き、術者の操作により、Ｃアーム５が傾斜した状態で防護前垂れ９ＮがＸ線管３に接触しない位置まで防護前垂れ９Ｎを巻き上げ、Ｃアーム５を適切な傾斜角度に回転させまた天板１の位置を微調整した後、あらためて目視しながら防護前垂れ９ＮをＸ線管３に接触しない範囲で巻き下ろし、Ｘ線管３からＸ線を放射し撮影を行う。１回の撮影終了後、必要により再度防護前垂れ９Ｎを巻き上げ、Ｃアーム５の傾斜角度および天板１の位置を変更し、防護前垂れ９Ｎを巻き下ろして撮影を繰り返す。
【００１４】
図２は本発明の第２の実施例である。術者は装置の作動を制御するための手許操作盤１４の操作により、演算器１５を介してＣアーム５の傾斜角度を指令する。この傾斜角度情報は演算器１５から、あらかじめ設定した関係によりモータ１３に適切な回転量を与えるための信号としても出力される。この連動により防護前垂れ９Ｎは自動的にＸ線管３に接触しない位置まで巻き上げられ、Ｃアーム５の傾斜角度を変更する都度、巻き上げまたは巻き下ろし量も連動して変更される。したがって最終的にＣアーム５の傾斜角度が定まった場合には巻き上げも自動的に完了しており、ただちに撮影に移ることができる。
【００１５】
本発明は上記の実施例に限定されるものではなく、さらに種々の変形実施例を挙げることができる。たとえば前記したように、図１ではベアリング１２およびモータ１３は基台２の側面から支持されているが、天板１の側面から支持される構造としても良く、本発明は基台２からの支持には限定されない。また巻き上げ軸１１の長さ、ベアリング１２の個数・位置、モータ１３の位置などは、天板１上への被検体の載置に支障を来さない範囲で自由に変更することができる。また図２において手許操作盤１４は、手許操作盤１４または別室等にある中央制御装置の指令により、装置の制御範囲の全部または一部が個別に手許操作盤１４によって手動操作できるものであっても良い。自動連動により最適な巻き上げ量が自動決定されるので、殆どの操作を手許操作盤１４によらずに別室等にある中央制御装置で行い、術者の作業量を軽減し、さらに被曝量を減少することも可能である。また本発明はたとえば、Ｃアーム５がチルトなどを含む複数方向の運動の自由度を有する装置や被検体体軸に対して横方向に配置されている装置に適用することもでき、Ｃアーム型保持器に替えてコの字型等の別形状の保持器を使用した場合にも適用できることは明らかである。本発明はこれらをすべて包含する。
【産業上の利用可能性】
【００１６】
本発明は被検体のＸ線透視により医用診断を行うためのＸ線透視撮影装置など、Ｘ線透視撮影の必要な用途に適用することができる。
【図面の簡単な説明】
【００１７】
【図１】本発明の第１の実施例の構成を示す図である。
【図２】本発明の第２の実施例の構成を示す図である。
【図３】従来のＸ線透視撮影装置の構成の１例を示す図である。
【図４】従来のＸ線透視撮影装置の防護前垂れとＸ線管の相互干渉を示す図である。
【符号の説明】
【００１８】
１  天板
２  基台
３  Ｘ線管
４  Ｘ線検出器
５  Ｃアーム
６  アーム台
７  アーム軸
８  保持ロッド
９  防護前垂れ
９Ｎ  防護前垂れ
１１  巻き上げ軸
１２  ベアリング
１３  モータ
１４  手許操作盤
１５  演算器
【図１】
2008104491.tif 000003
【図２】
2008104491.tif 000004
【図３】
2008104491.tif 000005
【図４】
2008104491.tif 000006